(57)【特許請求の範囲】
【請求項１】
窓部を有する機器ケース内に前記窓部と対応して設けられた光透過性を有する文字板の上方を指針が運針して時刻情報を指示表示する電子機器において、
前記文字板の上面に設けられ、紫外線に反応して発光する第１の発光部材と、
前記文字板の下側に設けられ、紫外線に反応して前記第１の発光部材と異なる色で発光する第２の発光部材と、
前記機器ケース内に設けられ、紫外線領域の光を前記第１の発光部材に照射する第１の紫外線発光素子と、
前記機器ケース内に設けられ、紫外線領域の光を前記第２の発光部材に照射する第２の紫外線発光素子と、
前記第１、第２の発光部材の間に設けられ、前記第１の紫外線発光素子の光が前記第２の発光部材に照射されるのを阻止すると共に前記第２の紫外線発光素子の光が前記第１の発光部材に照射されるのを阻止する紫外線遮蔽部材と
を備えたことを特徴とする電子機器。
【請求項２】
窓部を有する機器ケースと、
この機器ケース内に前記窓部と対応して設けられて情報を表示する液晶表示素子と、
この液晶表示素子に対応して設けられ、紫外線に反応して互いに異なる色で発光する第１、第２の発光部材と、
前記機器ケース内に設けられ、紫外線領域の光を前記第１の発光部材に照射する第１の紫外線発光素子と、
前記機器ケース内に設けられ、紫外線領域の光を前記第２の発光部材に照射する第２の紫外線発光素子と、
前記第１、第２の発光部材の間に設けられ、前記第１の紫外線発光素子の光が前記第２の発光部材に照射されるのを阻止すると共に前記第２の紫外線発光素子の光が前記第１の発光部材に照射されるのを阻止する紫外線遮蔽部材と
を備えたことを特徴とする電子機器。
【請求項３】
前記第１の発光部材は前記液晶表示素子の上側に配置されており、前記第２の発光素子は前記液晶表示素子の下側に配置されていることを特徴とする請求項２に記載の電子機器。
【請求項４】
前記第１、第２の発光部材は前記液晶表示素子の下側に配置されていることを特徴とする請求項２に記載の電子機器。
【請求項５】
前記第１、第２の発光部材は前記液晶表示素子の上側に配置されていることを特徴とする請求項２に記載の電子機器。
【請求項６】
前記第１、第２の発光部材のうち、少なくとも一方は複数色で発光することを特徴とする請求項１〜５のいずれかに記載の電子機器。
【請求項７】
前記第１、第２の紫外線発光素子はそれぞれ複数個ずつ設けられていることを特徴とする請求項１〜６のいずれかに記載の電子機器。
【発明の詳細な説明】
【０００１】
【発明の属する技術分野】
この発明は、腕時計、携帯電話機、自動車の計器類などの各種の機器に適用して有用な紫外線発光装置および電子機器に関する。
【０００２】
【従来の技術】
例えば、腕時計においては、文字板や指針などの時計部品に夜光塗料などの蓄光塗料を印刷などにより部分的に塗布して蓄光部を形成し、これにより明るい所で蓄光部が外部光を受けてエネルギを蓄え、暗い所で蓄光部が蓄えたエネルギにより発光するようにしたものがある。
【０００３】
【発明が解決しようとする課題】
しかしながら、このような腕時計では、暗い所で蓄光部が発光して時刻を知ることはできるが、使用者が所望するときに蓄光部を自由に発光させることができないばかりか、蓄光部が発光するだけであるから、色彩性に乏しく、十分な装飾効果が得られないという問題がある。
【０００４】
この発明の課題は、所望するときに自由に発光させることができ、色彩性および装飾性に優れたものを得ることである。
【０００５】
【課題を解決するための手段】
この発明は、上記課題を解決するために、次のような構成要素を備えている。
なお、各構成要素には、後述する各実施形態の項で説明される各要素に付された図面の参照番号などを括弧と共に付す。
請求項１に記載の発明は、図１〜図４に示すように、窓部（時計ガラス２）を有する機器ケース（腕時計ケース１）内に前記窓部と対応して設けられた光透過性を有する文字板（７）の上方を指針（９）が運針して時刻情報を指示表示する電子機器において、前記文字板の上面に設けられ、紫外線に反応して発光する第１の発光部材（１０）と、前記文字板の下側に設けられ、紫外線に反応して前記第１の発光部材と異なる色で発光する第２の発光部材（１５）と、前記機器ケース内に設けられ、紫外線領域の光を前記第１の発光部材（１０）に照射する第１の紫外線発光素子（１１）と、前記機器ケース内に設けられ、紫外線領域の光を前記第２の発光部材（１５）に照射する第２の紫外線発光素子（１４）と、前記第１、第２の発光部材（１０、１５）の間に設けられ、前記第１の紫外線発光素子（１１）の光が前記第２の発光部材（１５）に照射されるのを阻止すると共に前記第２の紫外線発光素子（１４）の光が前記第１の発光部材（１１）に照射されるのを阻止する紫外線遮蔽部材（紫外線遮蔽フィルタ１２）とを備えたことを特徴とする電子機器である。
【０００６】
この発明によれば、第１、第２の紫外線発光素子を発光させないときには、窓部を通して文字板および指針によって指示表示された時刻情報を知ることができるほか、第１の紫外線発光素子を発光させると、その紫外線領域の光が第１の発光部材に照射されて第１の発光部材が紫外線に反応して発光するが、第１の紫外線発光素子からの光は紫外線遮蔽部材によって第２の発光部材に照射されるのが阻止されるので、第２の発光部材は発光せず、また第２の紫外線発光素子を発光させると、その紫外線領域の光が第２の発光部材に照射されて第２の発光部材が紫外線に反応して第１の発光部材と異なる色で発光するが、第２の紫外線発光素子からの光は紫外線遮蔽部材によって第１の発光部材に照射されるのが阻止されるので、第１の発光部材は発光せず、これにより第１、第２の発光部材を所望するときに選択的に自由に発光させて文字板および指針を照明することができるので、暗い所でも文字板および指針で指示表示された時刻情報を知ることができると共に、これら第１、第２の発光部材の発光色が異なることにより色彩性および装飾性に優れたものを得ることができる。
【０００７】
請求項２に記載の発明は、図５〜図１１に示すように、窓部（時計ガラス２、保護ガラス３３）を有する機器ケース（腕時計ケース１、機器ケース３０）と、この機器ケース内に前記窓部と対応して設けられて情報を表示する液晶表示素子（２２）と、この液晶表示素子に対応して設けられ、紫外線に反応して互いに異なる色で発光する第１、第２の発光部材（１０、１５）と、前記機器ケース内に設けられ、紫外線領域の光を前記第１の発光部材（１０）に照射する第１の紫外線発光素子（１１）と、前記機器ケース内に設けられ、紫外線領域の光を前記第２の発光部材（１５）に照射する第２の紫外線発光素子（１４）と、前記第１、第２の発光部材（１０、１５）の間に設けられ、前記第１の紫外線発光素子（１１）の光が前記第２の発光部材（１５）に照射されるのを阻止すると共に前記第２の紫外線発光素子（１４）の光が前記第１の発光部材（１０）に照射されるのを阻止する紫外線遮蔽部材（紫外線遮蔽フィルタ１２）とを備えたことを特徴とする電子機器である。
【０００８】
この発明によれば、請求項１に記載の発明と同様、第１、第２の紫外線発光素子を発光させないときには、窓部を通して液晶表示素子に表示された情報を見ることができるほか、第１の紫外線発光素子を発光させると、その紫外線領域の光が第１の発光部材に照射されて第１の発光部材が紫外線に反応して発光するが、第１の紫外線発光素子からの光は紫外線遮蔽部材によって第２の発光部材に照射されるのが阻止されるので、第２の発光部材は発光せず、また第２の紫外線発光素子を発光させると、その紫外線領域の光が第２の発光部材に照射されて第２の発光部材が紫外線に反応して第１の発光部材と異なる色で発光するが、第２の紫外線発光素子からの光は紫外線遮蔽部材によって第１の発光部材に照射されるのが阻止されるので、第１の発光部材は発光せず、これにより第１、第２の発光部材を所望するときに選択的に自由に発光させて液晶表示素子を照明することができるので、暗い所でも液晶表示素子に表示された情報を見ることができると共に、これら第１、第２の発光部材の発光色が異なることにより色彩性および装飾性に優れたものを得ることができる。
【０００９】
また、請求項３に記載の発明は、図５および図６に示すように、前記第１の発光部材（１０）が前記液晶表示素子（２２）の上側に配置されており、前記第２の発光素子（１５）が前記液晶表示素子の下側に配置されていることにより、請求項２に記載の発明と同様の作用効果があるほか、第２の紫外線発光素子を発光させて第２の発光部材を発光させると、この第２の発光部材で発光した光が液晶表示素子の下面側に照射されるので、液晶表示素子のバックライトとしての機能をも果たすことができ、これにより明るい所でも暗い所でも、液晶表示素子の表示を明るく且つ鮮明にすることができる。
また、請求項４に記載の発明は、図１０に示すように、前記第１、第２の発光部材（１０、１５）が前記液晶表示素子（２２）の上側に配置されていることにより、請求項２に記載の発明と同様の作用効果があるほか、第１、第２の紫外線発光素子のいずれかを発光させて第１、第２の発光部材のいずれかを発光させても、第１、第２の発光部材のいずれかの光が液晶表示素子の下面側に照射されるので、請求項３に記載の発明と同様、液晶表示素子のバックライトとしての機能をも果たすことができ、これにより明るい所でも暗い所でも、液晶表示素子の表示を明るく且つ鮮明にすることができる。
また、請求項５に記載の発明は、図１１に示すように、前記第１、第２の発光部材（１０、１５）が前記液晶表示素子（２２）の上側に配置されていることにより、請求項２に記載の発明と同様、第１、第２の発光部材によりそれぞれ異なる色の光で液晶表示素子を照明することができる。
また、請求項６に記載の発明は、図１〜図４に示すように、前記第１、第２の発光部材（１０、１５）のうち、少なくとも一方（図３に示す第２の発光部材１５）が複数色で発光することにより、請求項１または２に記載の発明よりも、色彩の組み合わせが更に豊富になり、より一層、色彩性および装飾性に優れたものを得ることができる。
さらに、請求項７に記載の発明は、図２〜図４、および図８に示すように、前記第１、第２の紫外線発光素子（１１、１４）がそれぞれ複数個ずつ設けられていることにより、複数個ずつ設けられた第１、第２の紫外線発光素子を適宜選択して発光させることができると共に、これら第１、第２紫外線発光素子を選択的に組み合わせて発光させることができ、これにより第１、第２の発光部材の発光状態の組み合わせが豊富になり、より一層、色彩性および装飾性に優れたものを得ることができる。
【００１０】
【発明の実施の形態】
［第１実施形態］
以下、図１〜図４を参照して、この発明を腕時計に適用した第１実施形態について説明する。
図１はこの発明の腕時計を示した要部の拡大断面図である。この腕時計は、腕時計ケース１を備えている。この腕時計ケース１の上部中央には、窓部に相当する時計ガラス２が装着されており、この腕時計ケース１の内部には、時計モジュール３が見切り部材４を介して収納されている。この時計モジュール３は、アナログ機能とデジタル機能のうち、少なくともアナログ機能を備えている。すなわち、この時計モジュール３は、ハウジング５に設けられたアナログムーブメント（図示せず）の指針軸６が文字板７の貫通孔８を通して文字板７の上方に突出し、この突出した指針軸６の上端部に時針、分針、秒針などの指針９が取り付けられ、この指針９が文字板７の上方を運針するように構成されている。
【００１１】
この場合、文字板７は、ＰＥＴ（ポリエチレンテレフタレート）などの透明な合成樹脂からなり、その上面には、図２に示すように、第１の発光部材１０が１２時側と６時側とに対応して設けられている。この第１の発光部材１０は、波長が３５０〜４００ｎｍ（ナノメートル：ナノは１０億分の１メートル）または２５４〜３６０ｎｍの紫外線に反応して有色発光し、紫外線が照射されない通常状態のときに透明な状態を呈する蛍光体などであり、印刷などにより文字などのマーク状に形成されている。この第１の発光部材１０の発光色は、赤、青、緑（または黄色）の３色を基本として、その色バリエーションが１０〜１３種類ある。また、この第１の発光部材１０は、図１に示すように、指針９の各先端部分にも設けられている。
【００１２】
見切り部材４は、図１に示すように、時計ガラス２と文字板７との間に位置する腕時計ケース１の内面に設けられており、この見切り部材４の１２時と６時とに位置する個所には、ブラックライトと呼ばれる第１の紫外線発光素子１１がそれぞれ設けられている。これら第１の紫外線発光素子１１は、波長が３６５ｎｍ付近または２５４〜３６５ｎｍの紫外線領域の光を発光する紫外線灯または紫外線発光ダイオード（ＬＥＤ）などの発光素子で構成され、第１の発光部材１０に紫外線領域の光を照射するように構成されている。
【００１３】
また、文字板７の下面には、図１に示すように、紫外線遮蔽フィルタ１２を介して導光板１３が配置されており、この導光板１３の外周部における１２時と６時とに対応する個所には、第２の紫外線発光素子１４がそれぞれ配置されている。
この場合、導光板１３は、第２の紫外線発光素子１４で発生した紫外線領域の光を側面から導入し、この導入した紫外線領域の光を導光板１３の上面から出射するものであり、透明な合成樹脂板であっても良いが、導光板１３の上面全域から紫外線領域の光をほぼ均一に出射する構造のものが望ましい。
【００１４】
この導光板１３の上面には、第２の発光部材１５が設けられている。この第２の発光部材１５は、第１の発光部材１０と同様、紫外線に反応して有色発光し、紫外線が照射されない通常状態のときに透明な状態を呈する蛍光体などであり、その発光色は、第１発光部材１０と同様、赤、青、緑（または黄色）の３色を基本として、その色バリエーションが１０〜１３種類ある。この場合、第２の発光部材１５は、第１の発光部材１０の発光色と異なる発光色、例えば第１の発光部材１０の発光色が緑色（または黄色）である場合、これ以外の発光色であることが望ましい。また、この第２の発光部材１５は、図３に示すように、導光板１３の上面における１２時側と６時側の各半分が互いに異なる発光色、例えば１２時側のほぼ半分が青色で発光し、６時側のほぼ半分がオレンジ色で発光するように構成されている。
【００１５】
第２の紫外線発光素子１４は、第１の紫外線発光素子１１と同様、ブラックライトと呼ばれるものであり、波長が３６５ｎｍ付近または２５４〜３６５ｎｍの紫外線領域の光を発光し、その紫外線領域の光を第２の発光部材１５に照射するように構成されている。また、紫外線遮蔽フィルタ１２は、紫外線を反射し、これ以外の光を透過するダイクロイックミラーなどの波長選択素子であり、第１の紫外線発光素子１１からの紫外線が第２の発光部材１５に照射されるのを阻止すると共に、第２の紫外線発光素子１４からの紫外線が第１の発光部材１０に照射されるのを阻止するように構成されている。
【００１６】
このような腕時計によれば、紫外線がほとんど当らない屋内などの明るい所では、文字板７および指針９に設けられた第１の発光部材１０と、導光板１３の上面に設けられた第２の発光部材１５とが、通常は透明な状態を呈しているので、文字板７、指針９、および導光板１３が第１、第２の発光部材１０、１５によって色彩性の影響を受けることがなく、通常の時計と同様に見え、これにより文字板７および指針９によって時刻を知ることができる。
【００１７】
この状態で、第１の紫外線発光素子１１のみを発光させると、その紫外線領域の光が文字板７の斜め上方および指針９の側方から照射される。これにより、文字板７に設けられた第１の発光部材１０が紫外線に反応して図２に示すように有色発光し、文字などのマークを表現すると共に、指針９に設けられた第１の発光部材１０も紫外線に反応して有色発光する。このため、明るい所でも暗い所でも、時計ガラス２を透して第１の発光部材１０の有色発光による文字などのマークを腕時計ケース１の外部から見ることができる共に、時刻を知ることができる。このときには、第１の紫外線発光素子１１で発光した紫外線領域の光は紫外線遮蔽フィルタ１２によって紫外線が反射されて遮断されるので、第２の発光部材１５が発光することはない。なお、このときには、１２時側と６時側とに位置する第１の紫外線発光素子１１のうち、いずれか一方のみを発光させ、その近傍に位置する第１の発光部材１０のみを部分的に発光させることもできる。
【００１８】
また、第１の紫外線発光素子１１を発光させずに、第２の紫外線発光素子１４のみを発光させると、その紫外線領域の光が導光板１３の側面から導入され、この導入された紫外線領域の光が導光板１３の上面からほぼ均一に出射され、この出射された紫外線領域の光が導光板１３の上面に設けられた第２の発光部材１５に照射される。これにより、第２の発光部材１５が紫外線に反応して１２時側と６時側の各半分がそれぞれ異なる色で有色発光する。例えば、図３に示すように、１２時側のほぼ半分が青色に有色発光し、６時側のほぼ半分がオレンジ色に有色発光する。
【００１９】
この青色およびオレンジ色の有色発光は紫外線遮蔽フィルタ１２を透過するので、明るい所でも暗い所でも、時計ガラス２を透して腕時計ケース１の外部から第２の発光部材１５の有色発光を見ることができる。このときには、第２の紫外線発光素子１１で発光した紫外線領域の光が導光板１３の上面から出射されても、紫外線遮蔽フィルタ１２によって紫外線が遮蔽されるので、第１の発光部材１０が発光することはない。なお、このときにも、１２時側と６時側とに位置する第２の紫外線発光素子１４のうち、いずれか一方のみを発光させ、その近傍に位置する第２の発光部材１５のみを部分的に発光させても良い。
【００２０】
また、第１、第２の紫外線発光素子１１、１４の両方を同時に発光させると、上述したように第１の紫外線発光素子１１からの紫外線に反応して第１の発光部材１０が有色発光すると共に、第２の紫外線発光素子１４からの紫外線に反応して第２の発光部材１５が有色発光するので、第１、第２の発光部材１０、１５の有色発光が組み合わされると共に、第１の発光部材１０と第２の発光部材１５との各発光色が異なっているので、第２の発光部材１５による有色発光上に第１の発光部材１０による有色発光が浮き上がった状態で見ることなり、これにより色彩性が豊富になる。
【００２１】
また、この状態で例えば６時側の第１、第２の紫外線発光素子１１、１４を発光させずに、１２時側の第１、第２の紫外線発光素子１１、１４のみを同時に発光させると、図４に示すように、６時側に位置する第１、第２の発光部材１０、１５はほとんど発光せずに透明な状態を呈するが、１２時側に位置する第１、第２の発光部材１０、１５は第１、第２の紫外線発光素子１１、１４からの紫外線にそれぞれ反応して部分的に有色発光するので、図４に示すように、第２の発光部材１５による青色の有色発光の中に第１の発光部材１０の有色発光による文字などのマークが浮かび上がって表現される。
【００２２】
このように、この腕時計によれば、第１、第２の紫外線発光素子１１、１４を発光させることにより、第１、第２の発光部材１０、１５を所望するときに自由に発光させることができる。このとき、第１の紫外線発光素子１１を発光させると、第１の発光部材１０が発光するが、紫外線遮蔽フィルタ１２で紫外線が遮光されることにより第２の発光部材１５は発光せず、また第２の紫外線発光素子１４を発光させると、第２の発光部材１５が発光するが、紫外線遮蔽フィルタ１２で紫外線が遮光されることにより第１の発光部材１０は発光しないため、第１、第２の発光部材１０、１５のいずれかを選択して発光させることができると共に、第１、第２の紫外線発光素子１１、１４を同時に発光させて、第１、第２の発光部材１０、１５の両者を同時に発光させることができ、これにより第１、第２の発光部材１０、１５の発光状態の組み合わせが豊富になり、色彩性および装飾性に富んだものを得ることができる。
【００２３】
この場合、第１、第２の発光部材１０、１５のうち、少なくとも第２の発光部材１５が１２時側と６時側とで異なる発光色、例えば図３に示すように、１２時側のほぼ半分が青色で発光し、６時側のほぼ半分がオレンジ色で発光するように構成されているので、色彩の組み合わせが更に豊富になり、より一層、色彩性および装飾性に優れたものを得ることができる。
また、第１、第２の紫外線発光素子１１、１４は１２時側と６時側にそれぞれ２個ずつ設けられているので、第１、第２の紫外線発光素子１１、１４を適宜選択して発光させることができると共に、これら第１、第２の紫外線発光素子１１、１４を選択的に組み合わせて発光させることができ、このため第１、第２発光部材１０、１５の発光状態を選択的に組み合わせることができ、これによっても色彩性および装飾性が更に豊富になり、より一層、色彩性および装飾性に優れたものを得ることができる。
【００２４】
［第２実施形態］
次に、図５および図６を参照して、この発明を腕時計に適用した第２実施形態について説明する。なお、図１〜図４に示された第１実施形態と同一部分には同一符号を付して説明する。
この腕時計は、腕時計ケース１内に収納される時計モジュール２０がアナログ機能とデジタル機能のうち、少なくともデジタルグ機能を備えた構造になっている。すなわち、この時計モジュール２０は、図５および図６に示すように、上から順に、第１の導光板２１、紫外線遮断フィルタ１２、液晶表示素子２２、第２の導光板２３、および反射板２４が積層され、第１の導光板２１の側面側に第１の紫外線発光素子１１が配置され、第２の導光板２３の側面側に第２の紫外線発光素子１４が配置され、これらがハウジング５上に配置された構造になっている。
【００２５】
この場合、第１導光板２１は、透明な合成樹脂板からなり、その上面には、文字などのマークを表現する第１の発光部材１０が設けられている。この第１の発光部材１０は、第１実施形態と同様、紫外線に反応して有色発光し、紫外線が照射されない通常状態のときに透明な状態を呈する蛍光体などであり、印刷などにより形成されている。この第１の発光部材１０の発光色は、赤、青、緑（または黄色）の３色を基本として、その色バリエーションが１０〜１３種類ある。また、第１の紫外線発光素子１１は、第１実施形態と同様、紫外線領域の光を発光するものであり、第１の導光板２１の１２時側と６時側の２か所に対応して配置されている。
【００２６】
第２の導光板２３は、第１導光板２１と同様、透明な合成樹脂板からなり、その上面には、第２の発光部材１５が設けられている。この第２の発光部材１５は、第１実施形態と同様、紫外線に反応して有色発光し、紫外線が照射されない通常状態のときに透明な状態を呈する蛍光体などであり、その発光色が第１の発光部材１０の発光色（緑色や黄色）と異なると共に、１２時側と６時側の各半分ごとに互いに異なる色、例えば第１実施形態と同様、１２時側のほぼ半分が青色で発光し、６時側のほぼ半分がオレンジ色で発光するように構成されている。また、第２の紫外線発光素子１４は、第１実施形態と同様、紫外線領域の光を発光するものであり、第２の導光板２３の１２時側と６時側の２か所に第１の紫外線発光素子１１と対応して配置されている。
【００２７】
液晶表示素子２２は、上下一対の透明な電極基板間に液晶を封入し、これら一対の電極基板間に電圧を印加することにより、時刻などの情報を電気光学的に表示するように構成されている。
紫外線遮断フィルタ１２は、第１実施形態と同様、紫外線を反射し、これ以外の光を透過するダイクロイックミラーなどの波長選択素子であり、第１の導光板２１と液晶表示素子２２との間に配置され、第１の紫外線発光素子１１からの紫外線が第２の発光部材１５に照射されるのを阻止すると共に、第２の紫外線発光素子１４からの紫外線が第１の発光部材１０に照射されるのを阻止するように構成されている。なお、反射板２４は、第２の導光板２３をその下方に向けて透過した全ての光を第２の導光板２３に向けて反射するものである。
【００２８】
このような腕時計によれば、紫外線がほとんど当らない屋内などの明るい所では、第１の導光板２１の上面に設けられた第１の発光部材１０と、第２の導光板２３の上面に設けられた第２の発光部材１５とが、透明な状態を呈するので、液晶表示素子２２が第１、第２の発光部材１０、１５によって色彩性の影響を受けることがなく、通常のデジタル式の時計と同様、液晶表示素子２２に表示された時刻などの情報を時計ガラス３を透して見ることができる。すなわち、通常は、時計ガラス２を通して外部光が入射し、この入射した光が第１の発光部材１０、第１の導光板２１、および紫外線遮断フィルタ１２を順に透過して液晶表示素子２２に入射し、この入射した光が液晶表示素子２２、第２の発光部材１５、および第２の導光板２３を透過して反射板２４で反射され、この反射された光が再び上記と逆の光路を経て時計ガラス２から外部に出射されるので、液晶表示素子２２を駆動することにより、その駆動に応じて表示された情報を見ることができる。
【００２９】
この状態で、第１の紫外線発光素子１１のみを発光させると、その紫外線領域の光が第１の導光板２１の側面から導入され、この導入された紫外線領域の光が第１の導光板２１の上面から出射され、この出射された紫外線領域の光がその上面の第１の発光部材１０に照射される。これにより、第１の発光部材１０が紫外線に反応して有色発光し、文字などのマークを表現する。このため、時計ガラス２を透して第１の発光部材１０の有色発光による文字などのマークを液晶表示素子２２に表示された情報と共に腕時計ケース１の外部から見ることができる。このときには、第１の紫外線発光素子１１で発光した紫外線領域の光は紫外線遮蔽フィルタ１２によって紫外線が遮蔽されるので、第２の発光部材１５が発光することはない。なお、このときにも、１２時側と６時側とに位置する第１の紫外線発光素子１１のうち、いずれか一方のみを発光させ、その近傍に位置する第１の発光部材１０のみを部分的に発光させることもできる。
【００３０】
また、第１の紫外線発光素子１１を発光させずに、第２の紫外線発光素子１４のみを発光させると、その紫外線領域の光が第２の導光板２３の側面から導入され、この導入された紫外線領域の光がその上面から出射され、この出射された紫外線領域の光が第２の導光板２３の上面に設けられた第２の発光部材１５に照射される。このとき、第２の導光板２３の下面から漏れた紫外線領域の光は反射板２４で反射されて第２の発光部材１５に照射される。これにより、第２の発光部材１５が紫外線に反応して１２時側と６時側の各半分がそれぞれ異なる色で有色発光する。例えば、第１実施形態の図３に示した状態と同様、１２時側のほぼ半分が青色に有色発光し、６時側のほぼ半分がオレンジ色に有色発光する。この青色およびオレンジ色の有色発光は、液晶表示素子２２および紫外線遮蔽フィルタ１２を透過するので、時計ガラス２を透して第２の発光部材１５の有色発光を液晶表示素子２２に表示された情報と共に見ることができる。
【００３１】
このときには、第２の発光部材１５が有色発光することにより、液晶表示素子２２のバックライトとしての機能をも果たすことができ、このため明るい所でも暗い所でも、液晶表示素子２２の表示を明るく且つ鮮明にすることができる。また、第２の紫外線発光素子１１で発光した紫外線領域の光が導光板１３の上面から出射されても、紫外線遮蔽フィルタ１２によって紫外線が遮蔽されるので、第１の発光部材１０が発光することはない。なお、このときにも、１２時側と６時側とに位置する第２の紫外線発光素子１４のうち、いずれか一方のみを発光させ、その近傍に位置する第２の発光部材１５のみを部分的に発光させても良い。
【００３２】
また、第１、第２の紫外線発光素子１１、１４の両方を同時に発光させると、上述したように第１の紫外線発光素子１１からの紫外線に反応して第１の発光部材１０が有色発光すると共に、第２の紫外線発光素子１４からの紫外線に反応して第２の発光部材１５が有色発光するので、第１実施形態と同様、第１、第２の発光部材１０、１５の有色発光を組み合わせることができると共に、第１の発光部材１０の発光色と第２の発光部材１５の発光色とが異なる色であるから、第２の発光部材１５による有色発光上に第１の発光部材１０による有色発光を浮き上がらせることができ、これにより色彩性および装飾性が豊富になる。
【００３３】
また、この状態で例えば６時側の第１、第２の紫外線発光素子１１、１４を発光させずに、１２時側の第１、第２の紫外線発光素子１１、１４のみを同時に発光させると、６時側に位置する第１、第２の発光部材１０、１５はほとんど発光せずに透明な状態を呈するが、１２時側に位置する第１、第２の発光部材１０、１５は第１、第２の紫外線発光素子１１、１４からの紫外線にそれぞれ反応して部分的に有色発光するので、図４に示された第１実施形態の状態と同様、第２の発光部材１５による青色の有色発光の中に第１の発光部材１０の有色発光による文字などのマークが浮かび上がって表現される。
【００３４】
このように、この腕時計においても、第１、第２の紫外線発光素子１１、１４を発光させることにより、第１、第２の発光部材１０、１５を所望するときに自由に発光させることができる。このとき、第１の紫外線発光素子１１を発光させると、第１の発光部材１０が発光するが、紫外線遮蔽フィルタ１２で紫外線が遮光されることにより第２の発光部材１５は発光せず、また第２の紫外線発光素子１４を発光させると、第２の発光部材１５が発光するが、紫外線遮蔽フィルタ１２で紫外線が遮光されることにより第１の発光部材１０は発光しないため、第１、第２の発光部材１０、１５のいずれかを選択して発光させることができると共に、第１、第２の紫外線発光素子１１、１４を同時に発光させて、第１、第２の発光部材１０、１５の両者を同時に発光させることができ、これにより第１、第２の発光部材１０、１５の発光状態の組み合わせが豊富になり、色彩性および装飾性に富んだものを得ることができる。
【００３５】
この場合、第１、第２の発光部材１０、１５のうち、少なくとも第２の発光部材１５が１２時側と６時側とで異なる発光色、例えば１２時側のほぼ半分が青色で発光し、６時側のほぼ半分がオレンジ色で発光するように構成されているので、色彩の組み合わせが更に豊富になり、より一層、色彩性および装飾性に優れたものを得ることができる。
また、第１、第２の紫外線発光素子１１、１４は１２時側と６時側にそれぞれ２個ずつ設けられているので、第１、第２の紫外線発光素子１１、１４を適宜選択して発光させることができると共に、これら第１、第２の紫外線発光素子１１、１４を選択的に組み合わせて発光させることができ、このため第１、第２の発光部材１０、１５の発光状態を選択的に組み合わせることができ、これにより色彩性および装飾性が更に豊富になり、より一層、色彩性および装飾性に優れたものを得ることができる。
【００３６】
［第３実施形態］
次に、図７および図８を参照して、この発明を携帯電話機に適用した第３実施形態について説明する。この場合には、図５および図６に示された第２実施形態と同一部分に同一符号を付して説明する。
この携帯電話機は、図７に示すように、合成樹脂製の機器ケース３０を備えている。この機器ケース３０は、上ケース３１と下ケース３２とを接合した構造で、上ケース３１の上面には、その上部側の窓部に相当する部分に設けられた開口部に透明な保護ガラス３３が装着されており、その下部側には、電話機能に必要な各種のキー釦３４が設けられている。また、この機器ケース３０の上端面には、アンテナ３５が出没可能に取り付けられている。
【００３７】
この機器ケース３０の内部には、図８に示すように、電話機能用のモジュール３６が枠状の見切り部材３７を介して収納されている。このモジュール３６は、電話機能に必要な各種の部品を備えている。すなわち、このモジュール３６は、第２実施形態と同様、上から順に、第１の導光板２１、紫外線遮断フィルタ１２、液晶表示素子２２、第２の導光板２３、および反射板２４を積層し、第１の導光板２１の側面側に第１の紫外線発光素子１１を配置し、第２の導光板２３の側面側に第２の紫外線発光素子１４を配置し、これらを保護ガラス３３に対応させた状態でハウジング３８上に配置し、且つ最上部の第１の導光板２１の上面の外周部を見切り部材３７に当接させて収納した構造になっている。
【００３８】
この場合、第１の導光板２１の上面には、第２実施形態と同様、文字などのマークを表現する第１の発光部材１０が設けられている。また、第２の導光板２３の上面には、第１の発光部材１０の発光色と異なる発光色で、且つ３時側（図７および図８では右側）と９時側（同図では左側）との各半分ごとに発光色が互いに異なる第２の発光部材１５が設けられている。また、第１、第２の紫外線発光素子１１、１４は、第１、第２の導光板２１、２３の３時側と９時側とに位置する各側面にそれぞれ対応して配置されている。
【００３９】
このような携帯電話機によれば、紫外線がほとんど当らない屋内などの明るい所では、第１の導光板２１の上面に設けられた第１の発光部材１０と、第２の導光板２３の上面に設けられた第２の発光部材１５とが、透明な状態を呈するので、第２実施携帯と同様、液晶表示素子２２が第１、第２の発光部材１０、１５によって色彩性の影響を受けることがなく、通常の携帯電話機と同様、液晶表示素子２２に表示されたメールやメッセージなどの情報を透明な保護ガラス３３を透して機器ケース３０の外部から見ることができる。
【００４０】
また、この携帯電話機では、第１の紫外線発光素子１１のみを発光させると、第２実施形態と同様、その紫外線領域の光が第１の導光板２１の側面から導入され、この導入された紫外線領域の光が第１の導光板２１の上面から出射して第１の発光部材１０に照射されるが、紫外線遮蔽フィルタ１２によって紫外線が遮蔽されるので、第２の発光部材１５は発光しない。これにより、第１の発光部材１０のみが紫外線に反応して有色発光し、文字などのマークを表現する。このため、保護ガラス３３を透して文字などのマークを液晶表示素子２２に表示された情報と共に機器ケース３０の外部から見ることができる。
【００４１】
また、第１の紫外線発光素子１１を発光させずに、第２の紫外線発光素子１４のみを発光させると、その紫外線領域の光が第２の導光板２３の上面に設けられた第２の発光部材１５に照射されるが、紫外線遮蔽フィルタ１２によって紫外線が遮蔽されるので、第１の発光部材１０は発光しない。これにより、第２の発光部材１５が紫外線に反応して３時側と９時側の各半分がそれぞれ異なる色で有色発光する。この有色発光は、液晶表示素子２２および紫外線遮蔽フィルタ１２を透過するので、保護ガラス３３を透して第２の発光部材１５の有色発光を液晶表示素子２２に表示された情報と共に見ることができる。また、第２の発光部材１５が有色発光することにより、液晶表示素子２２のバックライトとしての機能をも果たすことができるので、明るい所でも暗い所でも液晶表示素子２２の表示を明るく且つ鮮明にすることができる。
【００４２】
また、第１、第２の紫外線発光素子１１、１４の両方を同時に発光させると、上述したように第１の紫外線発光素子１１からの紫外線に反応して第１の発光部材１０が有色発光すると共に、第２の紫外線発光素子１４からの紫外線に反応して第２の発光部材１５が有色発光するので、第２実施形態と同様、第１、第２の発光部材１０、１５の有色発光を組み合わせることができると共に、第１の発光部材１０の発光色と第２の発光部材１５の発光色とが異なる発光色であるから、第２の発光部材１５による有色発光上に第１の発光部材１０による有色発光を浮き上がらせることができ、これにより色彩性および装飾性が豊富になる。
【００４３】
この状態で、例えば３時側の第１、第２の紫外線発光素子１１、１４のみを同時に発光させると、９時側に位置する第１、第２の発光部材１０、１５はほとんど発光せずに透明な状態を呈するが、３時側に位置する第１、第２の発光部材１０、１５は第１、第２の紫外線発光素子１１、１４からの紫外線にそれぞれ反応して部分的に有色発光するので、第２の発光部材１５による青色の有色発光の中に第１の発光部材１０の有色発光による文字などのマークが浮かび上がって表現される。
【００４４】
このように、この携帯電話機においても、第１、第２の紫外線発光素子１１、１４を発光させることにより、第１、第２の発光部材１０、１５を所望するときに自由に発光させることができる。このとき、第１の紫外線発光素子１１を発光させると、第１の発光部材１０が発光するが、紫外線遮蔽フィルタ１２で紫外線が遮光されることにより第２の発光部材１５は発光せず、また第２の紫外線発光素子１４を発光させると、第２の発光部材１５が発光するが、紫外線遮蔽フィルタ１２で紫外線が遮光されることにより第１の発光部材１０は発光しないため、第１、第２の発光部材１０、１５のいずれかを選択して発光させることができると共に、第１、第２の紫外線発光素子１１、１４を同時に発光させることにより、第１、第２の発光部材１０、１５の両者を同時に発光させることができ、これにより第１、第２の発光部材１０、１５の発光状態の組み合わせが豊富になり、色彩性および装飾性に富んだものを得ることができる。
【００４５】
この場合、第１、第２の発光部材１０、１５のうち、少なくとも第２の発光部材１５が３時側と９時側とで異なる色で発光するので、色彩の組み合わせが更に豊富になり、より一層、色彩性および装飾性に優れたものを得ることができる。
また、第１、第２の紫外線発光素子１１、１４は３時側と９時側にそれぞれ２個ずつ設けられているので、第１、第２の紫外線発光素子１１、１４を適宜選択して発光させることができると共に、これら第１、第２の紫外線発光素子１１、１４を選択的に組み合わせて発光させることができ、このため第１、第２発光部材１０、１５の発光状態を選択的に組み合わせることができ、これにより色彩性および装飾性が更に豊富になり、より一層、色彩性および装飾性に優れたものを得ることができる。
【００４６】
なお、上記第２、第３実施形態では、第１の導光板２１と第２の導光板２３との間に液晶表示素子２２を配置し、この液晶表示素子２２の上面側、つまり液晶表示素子２２と第１の導光板２１との間に紫外線遮蔽フィルタ１２を配置したが、これに限らず、例えば、図９〜図１１にそれぞれ示すように構成しても良い。
すなわち、図９に示された第１変形例では、第１の導光板２１と第２の導光板２３との間に配置された液晶表示素子２２の下面側、つまり液晶表示素子２２と第２の導光板２１との間に紫外線遮蔽フィルタ１２を配置し、最下部に反射板２４を配置した構造になっている。この場合にも、第１、第２の導光板２１、２３の各上面には、それぞれ第１、第２の発光部材１０、１５が設けられており、また第１、第２の導光板２１、２３の各側面側には、第１、第２の紫外線発光素子１１、１４がそれぞれ配置されている。このような構造でも、第２、第３実施形態と同様の作用効果がある。
【００４７】
また、図１０に示された第２変形例では、最上部に液晶表示素子２２を配置し、この液晶表示素子２２の下側に第１、第２の導光板２１、２３を積層すると共に、この第１の導光板２１と第２の導光板２３との間に紫外線遮蔽フィルタ１２を配置し、最下部に反射板２４を配置した構造になっている。この場合にも、第１、第２の導光板２１、２３の各上面には、それぞれ第１、第２の発光部材１０、１５が設けられており、また第１、第２の導光板２１、２３の各側面側には、第１、第２の紫外線発光素子１１、１４がそれぞれ配置されている。このような構造では、第２、第３実施形態と同様の作用効果があるほか、特に第１の導光板２１が液晶表示素子２２の下側に配置されているので、この第１の導光板２１の上面に設けられた第１の発光部材１０が発光することにより、この第１の発光部材１０が第２の発光部材１５と同様、液晶表示素子２２のバックライトとしての機能を果たすので、より一層、液晶表示素子２２の表示を明るく鮮明にすることができる。
【００４８】
さらに、図１１に示された第３変形例では、第１の導光板２１と第２の導光板２３との間に紫外線遮蔽フィルタ１２を配置し、この第２の導光板２３の下側に液晶表示素子２２を配置し、この液晶表示素子２２の下側、つまり最下部に反射板２４を配置した構造になっている。この場合にも、第１、第２の導光板２１、２３の各上面には、それぞれ第１、第２の発光部材１０、１５が設けられており、また第１、第２の導光板２１、２３の各側面側には、第１、第２の紫外線発光素子１１、１４がそれぞれ配置されている。このような構造でも、第２、第３実施形態とほぼ同様の作用効果がある。
【００４９】
なおまた、上記第２、第３実施形態およびその各変形例では、最下部に反射板２４を設けたが、これに限らず、例えば反射板２４の代わりにハーフミラーを配置し、このハーフミラーの下側にＥＬ素子（エレクトロルミネッセンス素子）などの発光体を配置し、この発光体で液晶表示素子２２の下面側を照明するように構成しても良い。このようにすれば、より一層、明るく鮮明な表示を得ることができる。
また、上記第１〜第３実施形態およびその各変形例では、導光板１３、第１、第２の導光板２１、２３の各上面に第１、第２の発光部材１０、１５を設けたが、これに限らず、導光板１３、第１、第２の導光板２１、２３の各下面に第１、第２の発光部材１０、１５を設けも良く、また発光部材の発光物質を導光板１３、第１、第２の導光板２１、２３中に混入させても良い。
【００５０】
さらに、上記第１〜第３実施形態およびその各変形例では、導光板１３、第１、第２の導光板２１、２３に第１、第２の発光部材１０、１５を設けが、必ずしも導光板１３、第１、第２の導光板２１、２３に第１、第２の発光部材１０、１５を設ける必要はなく、紫外線遮蔽フィルタ１２の上下面に第１、第２の発光部材１０、１５を設けても良い。また、第１、第２の発光部材１０、１５のうち、いずれか一方を液晶表示素子２２に設けても良い。このように構成すれば、導光板１３、第１、第２の導光板２１、２３が不要になるので、部品点数を削減することができ、低コスト化を図ることができる。
【００５１】
また、上記第２、第３実施形態およびその各変形例では、第２の発光部材１５の１２時側と６時側、または３時側と９時側の各半分が異なる発光色で発光するように構成したが、これに限らず、全域が単色で発光するように構成しても良く、また３か所以上が異なる色で発光するように構成しても良い。また、第２の発光部材１５に限らず、第１の発光部材１０を複数に分割し、その分割された複数個所がそれぞれ異なる色で発光するように構成しても良い。このようにすれば、色彩の組み合わせが大幅に増えるので、色彩性および装飾性を大幅に向上させることができる。
【００５２】
さらに、上記第２、第３実施形態およびその各変形例では、第１、第２の紫外線発光素子１１、１４を１２時側と６時側、または３時側と９時側の２か所に配置したが、これに限らず、１か所でも良く、また３か所以上に配置しても良い。このように３か所以上に配置すれば、色彩性および装飾性を更に向上させることができる。
なおまた、上記第１〜第３実施形態およびその各変形例では、腕時計または携帯電話機に適用した場合について述べたが、これに限らず、例えば電子手帳、電子辞書、携帯端末機、パソコン、印刷機などの各種の電子機器、または自動車の計器類などの各種機器、あるいはそれらの各部品に広く適用することができる。
【００５３】
【発明の効果】
以上説明したように、この発明によれば、第１、第２の紫外線発光素子を発光させないときには、窓部を通して文字板および指針または液晶表示素子により情報を知ることができるほか、第１の紫外線発光素子を発光させると、その紫外線領域の光が第１の発光部材に照射されて第１の発光部材が発光するが、第１の紫外線発光素子からの紫外線領域の光は紫外線遮蔽部材によって紫外線が第２の発光部材に照射されるのが阻止されるので、第２の発光部材は発光せず、また第２の紫外線発光素子を発光させると、その紫外線領域の光が第２の発光部材に照射されて第２の発光部材が第１の発光部材と異なる色で発光するが、第２の紫外線発光素子からの紫外線領域の光は紫外線遮蔽部材によって紫外線が第１の発光部材に照射されるのが阻止されるので、第１の発光部材は発光せず、これにより第１、第２の発光部材を所望するときに選択的に自由に発光させて文字板および指針または液晶表示素子を照明することができるので、暗い所でも文字板および指針または液晶表示素子に表示された情報を見ることができると共に、これら第１、第２の発光部材の発光色が異なることにより色彩性および装飾性に優れたものを得ることができる。
【００５４】
この場合、第１、第２の発光部材のうち、少なくとも一方が複数色で発光することにより、色彩の組み合わせが更に豊富になり、より一層、色彩性および装飾性に優れたものを得ることができる。
さらに、第１、第２の紫外線発光素子がそれぞれ複数個ずつ設けられていることにより、複数個ずつ設けられた第１、第２の紫外線発光素子を適宜選択して発光させることができると共に、これら第１、第２紫外線発光素子を選択的に組み合わせて発光させることができ、これにより第１、第２の発光部材の発光状態の組み合わせが豊富になり、より一層、色彩性および装飾性に優れたものを得ることができる。
【図面の簡単な説明】
【図１】この発明をアナログ式の腕時計に適用した第１実施形態を示した要部の拡大断面図。
【図２】図１の第１の紫外線発光素子のみを発光させた状態における文字板上の第１の発光部材の発光状態を示した図。
【図３】図１の第２の紫外線発光素子のみを発光させた状態における導光板上の第２の発光部材の発光状態を示した図。
【図４】図１の第１、第２の紫外線発光素子のうち、６時側に位置する第１、第２の紫外線発光素子を発光させずに、１２時側に位置する第１、第２の紫外線発光素子のみをそれぞれ発光させた状態における第１、第２の発光部材の発光状態を示した図。
【図５】この発明をデジタル式の腕時計に適用した第２実施形態における要部の拡大断面図。
【図６】図５の時計モジュールの要部を示した分解断面図。
【図７】この発明を携帯電話機に適用した第３実施形態の外観斜視図。
【図８】図７のＡ−Ａ矢視における拡大断面図。
【図９】第１、第２の導光板間に液晶表示素子を配置し、この液晶表示素子と第２の導光板との間に紫外線遮蔽フィルタを配置した第１変形例を示した要部の分解断面図。
【図１０】最上部に液晶表示素子を配置し、この液晶表示素子の下側に第１、第２の導光板を配置し、この第１、第２の導光板間に紫外線遮蔽フィルタを配置した第２変形例を示した要部の分解断面図。
【図１１】第１、第２の導光板間に紫外線遮蔽フィルタを配置し、この第２の導光板の下側に液晶表示素子を配置した第３変形例を示した要部の分解断面図。
【符号の説明】
１  腕時計ケース
２  時計ガラス
３、２０  時計モジュール
７  文字板
１０  第１の発光部材
１１  第１の紫外線発光素子
１２  紫外線遮蔽フィルタ
１３  導光板
１４  第２の紫外線発光素子
１５  第２の発光部材
２１  第１の導光板
２２  液晶表示素子
２３  第２の導光板
３０  機器ケース
３３  保護ガラス
３６  モジュール
【図１】
0003979070.tif 000002
【図２】
0003979070.tif 000003
【図３】
0003979070.tif 000004
【図４】
0003979070.tif 000005
【図５】
0003979070.tif 000006
【図６】
0003979070.tif 000007
【図７】
0003979070.tif 000008
【図８】
0003979070.tif 000009
【図９】
0003979070.tif 000010
【図１０】
0003979070.tif 000011
【図１１】
0003979070.tif 000012